(57)【要約】【課題】  電気光学装置において高品質な表示を実現する。【解決手段】  駆動部は、画素部の夫々に、一画面に対応する画像信号を該一画面を表示する画面表示期間が分割されてなる単位期間毎に供給し、画素部の夫々を画面表示期間内に複数回駆動する。補正手段は、同一の画面表示期間内における複数の単位期間のうち最初の単位期間に供給される画像信号を、最初の単位期間の直前の画面表示期間内に供給される画像信号に対する変化量と、電気光学物質の画像信号に対する応答速度とに応じて補正する。【選択図】      図１３
2005352315.tif 000002
【特許請求の範囲】
【請求項１】
複数の画素部が電気信号に応答可能な電気光学物質を含んで構成された電気光学装置を駆動するために用いられる電気光学装置用駆動回路であって、
前記画素部の夫々に、一画面に対応する画像信号を、該一画面を表示する画面表示期間が分割されてなる単位期間毎に供給し、前記画素部の夫々を前記画面表示期間内に複数回駆動する駆動部と、
同一の画面表示期間内における複数の前記単位期間のうち最初の単位期間に供給される前記画像信号を、前記最初の単位期間の直前の前記画面表示期間内に供給される前記画像信号に対する変化量と、前記電気光学物質の前記画像信号に対する応答速度とを用いて算出された補正データにより補正する補正手段と
を備えたことを特徴とする電気光学装置用駆動回路。
【請求項２】
前記補正手段は、前記同一の画面表示期間内における最初でない単位期間に供給される前記画像信号については、補正しないことを特徴とする請求項１に記載の電気光学装置用駆動回路。
【請求項３】
前記補正手段は、前記同一の画面表示期間内における最初でない単位期間に供給される前記画像信号と、前記最初の単位期間に供給される画像信号とに対して、重み付けされた補正量を用いて補正することを特徴とする請求項１に記載の電気光学装置用駆動回路。
【請求項４】
前記補正手段は、前記最初の単位期間に供給される画像信号と前記直前の画面表示期間内に供給される画像信号との輝度に係る差分を検出し、前記検出された差分に応じて補正量を設定し、前記設定された補正量により前記最初の単位期間を含む補正対象の単位期間に供給される画像信号を補正することを特徴とする請求項１から３のいずれか一項に記載の電気光学装置用駆動回路。
【請求項５】
前記駆動部は、前記画面表示期間毎又は前記単位期間毎に基準電圧に対して極性が反転するように前記画素部の夫々を反転駆動させることを特徴とする請求項１から４のいずれか一項に記載の電気光学装置用駆動回路。
【請求項６】
前記駆動部は、前記複数の画素部により構成される表示面が分割されてなる複数の部分面のうち互いに隣接しない第１の部分面を構成する前記画素部と、前記第１の部分面に隣接する第２の部分面を構成する前記画素部とに、交互に水平走査を行い、前記第１の部分面を構成する前記画素部を第１の周期で面反転駆動すると共に、前記第２の部分面を構成する前記画素部を前記第１の周期と相補の第２の周期で面反転駆動することを特徴とする請求項５に記載の電気光学装置用駆動回路。
【請求項７】
請求項１から請求項６に記載の電気光学装置用駆動回路と、前記複数の画素部とを備えたことを特徴とする電気光学装置。
【請求項８】
請求項７に記載の電気光学装置を備えたことを特徴とする電子機器。
【請求項９】
複数の画素部が電気信号に応答可能な電気光学物質を含んで構成された電気光学装置を駆動するために用いられる電気光学装置用駆動方法であって、
前記画素部の夫々に、一画面に対応する画像信号を、該一画面を表示する画面表示期間が分割されてなる単位期間毎に供給し、前記画素部の夫々を前記画面表示期間内に複数回駆動する駆動工程と、
同一の画面表示期間内における複数の前記単位期間のうち最初の単位期間に供給される前記画像信号を、前記最初の単位期間の直前の前記画面表示期間内に供給される前記画像信号に対する変化量と、前記電気光学物質の前記画像信号に対する応答速度とを用いて算出された補正データにより補正する補正工程と
を備えたことを特徴とする電気光学装置用駆動方法。
【発明の詳細な説明】
【技術分野】
【０００１】
本発明は、例えば液晶装置等の電気光学装置を駆動するための駆動回路とその駆動方法、並びに該電気光学装置及び該電気光学装置を備えたプロジェクタ等の電子機器の技術分野に関する。
【背景技術】
【０００２】
この種の電気光学装置には、例えば液晶装置がある。その駆動方式には、駆動中に発生する表示不良を低減するための工夫がなされている。例えば、表示画面のフリッカ、液晶の焼付きや劣化を防ぐために、一般に極性反転駆動方式が採られる。例えば、フィールド反転駆動方式やフレーム反転駆動方式では、フィールド毎やフレーム毎に、画像信号の極性が反転される。或いは、行反転駆動方式や列反転駆動方式では、フレームやフィールド反転しつつ更に行毎や列毎に画像信号の極性が反転される。
【０００３】
他方、特許文献１には、液晶の印加電圧、即ち画像信号に対する応答速度が遅いことに起因する表示ぼけを回避するために、隣接フレーム間のデータ変化量に対応した補正値を導入する駆動方式について開示されている。液晶の応答速度が遅いと、印加電圧に対する輝度の過渡期間が延び、実効輝度値が不十分となる。そこで、画像信号の値を引き上げて、目標輝度への到達時間を短縮する、或いは、実効輝度値を補正するように補正がなされる。この補正方式は、“オーバードライブ処理”等として一般に知られている。
【０００４】
【特許文献１】特開２００３−１４３５５６号公報
【発明の開示】
【発明が解決しようとする課題】
【０００５】
以上のような各方式ないし処理は、効果の増大、又は互いの欠点の補完を目的として、組み合わせて適用されることがある。しかしながら、反転駆動によりフリッカを防止しつつ、同時に液晶の応答速度を補うような補正を施すことは技術的に容易ではない。この結果、高品位な表示が困難となるという技術的な問題点がある。
【０００６】
本発明は、例えば上記問題点に鑑みなされたものであり、高品位な表示を可能とする電気光学装置用駆動回路及び電気光学装置用駆動回路、並びに、この駆動回路に駆動される電気光学装置、及び該電気光学装置を備えた電子機器を提供することを課題とする。
【課題を解決するための手段】
【０００７】
本発明の電気光学装置用駆動回路は、上記課題を解決するために、複数の画素部が電気信号に応答可能な電気光学物質を含んで構成された電気光学装置を駆動するために用いられる電気光学装置用駆動回路であって、前記画素部の夫々に、一画面に対応する画像信号を、該一画面を表示する画面表示期間が分割されてなる単位期間毎に供給し、前記画素部の夫々を前記画面表示期間内に複数回駆動する駆動部と、同一の画面表示期間内における複数の前記単位期間のうち最初の単位期間に供給される前記画像信号を、前記最初の単位期間の直前の前記画面表示期間内に供給される前記画像信号に対する変化量と、前記電気光学物質の前記画像信号に対する応答速度とを用いて算出された補正データにより補正する補正手段とを備えている。
【０００８】
本発明の電気光学装置用駆動回路によれば、その駆動時に、駆動部により、各画素部は、画面表示期間内に複数回駆動される。即ち、各画素部が倍速駆動或いはｎ（但し、ｎは２以上の整数）倍速駆動される。より具体的には例えばバッファに読み込まれた１フィールド又は１フレーム分の画像信号は、１フィールド又は１フレーム分の期間内に、倍速或いはｎ倍速でバッファから読み出され、この一画面分（例えば１フィールド又は１フレーム分）の画像信号が、１フィールド又は１フレームよりも短周期で、各画素にｎ回繰り返して書き込まれる。このとき、一つの画素部に着目すると、同一画面表示期間には同一の画像信号がｎ個供給される。即ち、同一画像表示期間内では、各画素に対して、単位期間毎に同一画像信号が繰り返して供給される。更に、供給される画像信号の値は、表示内容の変化或いは動きに応じて、画面表示期間毎に変動し得る。
【０００９】
このような倍速駆動は、液晶の印加電圧に対する応答性を改善する、つまり輝度値を画像信号に応じた値まで引き上げるのに一定の効果がある。また、液晶に対する一回あたりの電圧印加時間が短くなり、表示画像におけるフリッカやクロストーク、更に液晶の劣化や焼付きを軽減することにも寄与し得る。
【００１０】
本発明では、更に補正手段において、以上の画像信号に対してオーバードライブ処理が施される。但し、ここで補正対象とする信号は、画面表示期間を分割してなる単位期間のうち、少なくとも最初の単位期間に供給される画像信号である。
【００１１】
例えば動画において、黒い背景中に白い画像が動く場合などの画面間の急激な輝度変化に際し、液晶は画像信号の変化に素早く追従できないことがある。上記の場合では、白い画像の移動に伴い、その軌跡が白い尾を引くように見え、見る者に残像感を与える。ここでいう「オーバードライブ処理」とは、このような輝度変動時において画像信号の電位を加減することで液晶駆動電圧のオフセットを調整することに他ならず、典型的には、画像信号のうち輝度信号について輝度を補正することを意味する。上述のように、一つの画面表示期間内では、いずれの単位期間においても同一の画像信号が書き込まれることから、単位期間同士の間ではオフセット調整という意味での補正は必要とされず、先行する画面表示期間の直後の単位期間（即ち、最初の単位期間）において必要となる。
【００１２】
具体的には、各画面表示期間において最初の単位期間に供給される画像信号を、一つ前の画面表示期間の画像信号に対する変化量と液晶の応答速度とを用いて算出した補正データに基づいて補正する。即ち、変化量が大きいほど、又は応答速度が遅いほど、信号値を大きく加減して、目的とする方向に液晶の配向状態を変化させる規制力を強め、液晶の見かけ上の応答速度を速くする。
【００１３】
この場合において、本願発明者の研究によれば、通常のオーバードライブ処理をそのまま適用し、一画面表示期間内に供給される全ての画像信号に同様の補正を施すことも考えられる。しかし、理想的な液晶応答とは、上記のような画面表示期間の境目における急激な電位変化に即応することであり、輝度値が良好な立ち上がり又は立下りで変化することであるから、できるだけ画面表示期間の初期に積極的に補正する方が効果的であると考えられる。この結果、液晶の応答遅れに起因する表示上の残像感を、効率よく軽減又は解消することが可能となる。
【００１４】
このように本発明の駆動方式によれば、倍速駆動方式における各画面表示期間の最初の単位期間に供給される画像信号に対してオーバードライブ処理を施すようにしたので、高品位な表示が可能となる。
【００１５】
本発明の電気光学装置用駆動回路の一態様では、前記補正手段は、前記同一の画面表示期間内における最初でない単位期間に供給される前記画像信号については、補正しない。
【００１６】
この態様によれば、各画面表示期間において最初の単位期間に供給される画像信号だけが補正される。一画面表示期間内の各単位期間においては、同じ画像信号が繰り返し供給されることから、輝度変動に伴う補正は、最初の単位期間に供給される画像信号にのみ施せばよい。従って、効率よくオーバードライブ処理を施すことができると共に、駆動期間全体に対する、補正量としての余分な電圧の印加期間が最小限に抑えられるので、液晶の劣化を抑えつつ上記効果を得ることも可能となる。
【００１７】
本発明の電気光学装置用駆動回路の他の態様では、前記補正手段は、前記同一の画面表示期間内における最初でない単位期間に供給される前記画像信号と、前記最初の単位期間に供給される画像信号とに対して、重み付けされた補正量を用いて補正する。
【００１８】
この態様によれば、各画面表示期間における(1)最初の単位期間及び(2)それ以外の単位期間の夫々に供給される画像信号が補正される。「最初の単位期間以外の単位期間」とは、一画面表示期間を分割してなるｎ個（但し、ｎは２以上の整数）の単位期間のうち、第２番目から第ｎ番目までの単位期間の少なくともいずれか１つを指している。即ち、第２番目から第ｎ番目までの単位期間の全体又はいずれか一つであってよいし、例えば第２番目、第４番目、第６番目…のように周期的に選択される、複数の単位期間であってよい。
【００１９】
ここで、これら(1)最初の単位期間及び(2)それ以外の単位期間の夫々に供給される画像信号に対しては、重み付けされた補正量を用いて補正がなされる。即ち、最も効果があると考えられる最初の単位期間から、それ以降の期間に補正量が配分される。例えば、最初の単位期間における補正量を最も重くし、その後は順に補正量を減らしてゆくようにしてもよい。
【００２０】
このような補正は、特に最初の単位期間に施した補正だけでは十分に液晶が追従しない場合、例えば輝度変化量が大きい場合や液晶の応答速度が遅い場合に有効である。引き続きオーバードライブ処理を施すことで、最初の単位期間後であってもまだ十分に配向状態が変化していない液晶に対し、目的とする配向状態への変化が促され、液晶の見かけ上の応答速度を、効果的に上昇させることが可能である。
【００２１】
また、この場合には、各単位期間において段階的に補正することができるので、最初の単位期間でのみ補正する場合と比較して、最初の単位期間における補正量を抑えることができる。そのため、補正量が付加されて更に変動分が大きくなった画像信号が印加されることに起因する液晶の劣化を抑えることも可能となる。
【００２２】
本発明の電気光学装置用駆動回路の他の態様では、前記補正手段は、前記最初の単位期間に供給される画像信号と前記直前の画面表示期間内に供給される画像信号との輝度に係る差分を検出し、前記検出された差分に応じて補正量を設定し、前記設定された補正量により前記最初の単位期間を含む補正対象の単位期間に供給される画像信号を補正する。
【００２３】
この態様によれば、オーバードライブ処理に係る画像信号の補正は、最初の単位期間に供給される画像信号と直前の画面表示期間内に供給される画像信号との輝度に係る差分を検出することから始まる。そして、検出された差分に応じて補正量が設定され、この補正量により補正対象とする単位期間に供給される画像信号が補正される。
【００２４】
補正量は、例えば検出された差分の値に比例して設定され、また差分が所定の閾値以下であれば補正量をゼロにする、即ち補正しないようにしてもよい。尚、補正値の設定は、例えばディジタル信号処理により行われる。以上のようなデータ操作により、比較的簡便にオーバードライブ処理を実現することが可能である。
【００２５】
本発明の電気光学装置用駆動回路の他の態様では、前記駆動部は、前記画面表示期間毎又は前記単位期間毎に基準電圧に対して極性が反転するように前記画素部の夫々を反転駆動させる。
【００２６】
この態様によれば、駆動時において、各画素部に供給される画像信号は、極性の正負が画面表示期間毎又は単位期間毎に基準電圧に対して反転される。その結果、液晶駆動電圧の極性が周期的に反転し、液晶の焼付きや劣化を防ぐことができる。
【００２７】
極性反転方式には、ライン反転方式や面反転方式等があるが、狭ピッチ化に際しては、横電界の影響が殆どない面反転駆動方式が有利であると考えられる。但し、面反転駆動方式の場合、正極性フィールド（或いは、正極性フレーム）と負極性フィールド（或いは、負極性フレーム）とでは、中間電位に対する印加電圧が非対称になるので、フィールド（或いはフレーム）が切り替わるたびに液晶駆動電圧が上下に変動する現象が生じることがある。これは、通常ならば３０Ｈｚ程度のフィールド期間に対応する周期的な輝度変動、即ちフリッカとして視認される。
【００２８】
これに対し、本発明では駆動が倍速化されているため、単位期間毎に極性を反転させる場合には、フリッカ周期が例えば６０Ｈｚに倍周され、十分に周波数が高くなることから殆ど視認されなくなる。よって、面反転駆動を採用する場合には、横電界の発生とフリッカとの双方を抑えることができ、表示品位を維持しつつ狭ピッチ化を図ることが可能となる。
【００２９】
更に、前記駆動部は、前記複数の画素部により構成される表示面が分割されてなる複数の部分面のうち互いに隣接しない第１の部分面を構成する前記画素部と、前記第１の部分面に隣接する第２の部分面を構成する前記画素部とに、交互に水平走査を行い、前記第１の部分面を構成する前記画素部を第１の周期で面反転駆動すると共に、前記第２の部分面を構成する前記画素部を前記第１の周期と相補の第２の周期で面反転駆動するようにしてもよい。
【００３０】
この態様によれば、表示面を第１及び第２の部分面に分け、夫々を面反転駆動させる。その際、部分面同士が各フィールド期間において逆極性となるように駆動する。尚、ここでいう「部分面」は、面反転駆動するように少なくとも２ライン分以上の領域（即ち、２本以上の走査線を含む領域）を指す。また、「面反転」とは、一画面が形成される度に（換言すると、フィールド毎やフレーム毎に画像信号を供給する度に）、画像信号の極性を反転させる駆動方式であり、その極性反転周期は、画面表示期間或いは単位期間である。そして、第１及び第２の部分面の夫々については、交互に水平走査を行い、同時並行的に画像信号が書き込まれる。
【００３１】
このように表示面を領域毎に面反転駆動させると、一画面分の書き換えを行う間に各部分面の書き換えは２回行われることになる。結果として、入力画像信号に対する１垂直期間が１／２となるので、極性反転を倍速駆動方式により適合させて実行することが可能となる。
【００３２】
本発明の電気光学装置は上記課題を解決するために、上述した本発明の電気光学装置用駆動回路（但し、その各種態様を含む）と、前記複数の画素部とを備える。
【００３３】
本発明の電気光学装置によれば、上述した本発明の電気光学装置用駆動回路を具備しているので、高品位の表示が可能である。この電気光学装置としては、液晶装置の他、例えば電子ペーパ等の電気泳動装置や電子放出素子を利用した表示装置（Field Emission Display及びSurface-Conduction Electron-Emitter Display）等を実現することも可能である。
【００３４】
本発明の電子機器は上記課題を解決するために、上述した本発明の電気光学装置（但し、その各種態様を含む）を備える。
【００３５】
本発明の電子機器によれば、本発明の電気光学装置を具備しているので、高品位の表示が可能である。この電子機器は、例えば、投射型表示装置、液晶テレビ、携帯電話、電子手帳、ワードプロセッサ、ビューファインダ型又はモニタ直視型のビデオテープレコーダ、ワークステーション、テレビ電話、ＰＯＳ端末、タッチパネル等の各種電子機器として実現することができる。
【００３６】
本発明の電気光学装置用駆動方法は、上記課題を解決するために、複数の画素部が電気信号に応答可能な電気光学物質を含んで構成された電気光学装置を駆動するために用いられる電気光学装置用駆動方法であって、前記画素部の夫々に、一画面に対応する画像信号を、該一画面を表示する画面表示期間が分割されてなる単位期間毎に供給し、前記画素部の夫々を前記画面表示期間内に複数回駆動する駆動工程と、同一の画面表示期間内における複数の前記単位期間のうち最初の単位期間に供給される前記画像信号を、前記最初の単位期間の直前の前記画面表示期間内に供給される前記画像信号に対する変化量と、前記電気光学物質の前記画像信号に対する応答速度とを用いて算出された補正データにより補正する補正工程とを備えている。
【００３７】
本発明の電気光学装置用駆動方法によれば、上述した本発明の電気光学装置用駆動回路と同様の作用及び効果を奏する。
【００３８】
本発明のこのような作用及び他の利得は次に説明する実施の形態から明らかにされる。
【発明を実施するための最良の形態】
【００３９】
以下では、本発明の実施の形態について図を参照しつつ説明する。以下の実施形態は、本発明の電気光学装置を液晶装置に適用したものである。
【００４０】
＜１：第１実施形態＞
先ず、本発明の電気光学装置に係る第１実施形態について、図１から図１３を参照して説明する。
【００４１】
＜１−１：電気光学装置の構成＞
先ず、本実施形態における電気光学装置の構成について、図１から図４を参照して説明する。図１は、ＴＦＴアレイ基板をその上に形成された各構成要素と共に対向基板の側から見た電気光学装置の平面図であり、図２は、図１のＨ−Ｈ’断面図である。図３は、本実施形態に係る電気光学装置のうち、画素部の等価回路を表している。図４は、駆動回路部を含むブロック図である。
【００４２】
図１及び図２において、本実施形態に係る電気光学装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００４３】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。即ち、本実施形態の電気光学装置は、プロジェクタのライトバルブ用として小型で拡大表示を行うのに適している。
【００４４】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４５】
画像表示領域１０ａの周辺に位置する周辺領域のうち、シール材５２が配置された領域の外側には、データ線駆動回路１０１及び外部回路接続端子１０２が、ＴＦＴアレイ基板１０の一辺に沿って設けられている。走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５が設けられている。
【００４６】
また、対向基板２０の４つのコーナー部には、両基板間の上下導通端子として機能する上下導通材１０６が配置されている。他方、ＴＦＴアレイ基板１０にはこれらのコーナー部に対向する領域において上下導通端子が設けられている。これらにより、ＴＦＴアレイ基板１０と対向基板２０との間で電気的な導通をとることができる。
【００４７】
図２において、ＴＦＴアレイ基板１０上には、画素スイッチング用ＴＦＴや各種配線等の上に画素電極９ａが、更にその上から配向膜が形成されている。他方、対向基板２０上には、対向電極２１の他、格子状又はストライプ状の遮光膜２３が、更にその上から配向膜が形成されている。また、液晶層５０は、例えば一種又は数種類のネマティック液晶を混合した液晶からなり、これら一対の配向膜間で、所定の配向状態をとる。
【００４８】
尚、ＴＦＴアレイ基板１０上には、データ線駆動回路１０１、走査線駆動回路１０４等に加え、例えば、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００４９】
図３に示したように、画像表示領域１０ａにおいては、複数の走査線３ａ及び複数のデータ線６ａが相交差して配列しており、その線間に、走査線３ａ，データ線６ａの各一により選択される画素部が設けられている。各画素部には、ＴＦＴ３０、画素電極９ａ及び蓄積容量７０が設けられている。ＴＦＴ３０は、データ線６ａから供給される画像信号Ｓ１、Ｓ２、…、Ｓｎを選択画素に印加するために設けられ、ゲートが走査線３ａに接続され、ソースがデータ線６ａに接続され、ドレインが画素電極９ａに接続されている。画素電極９ａは、後述の対向電極２１との間で液晶容量を形成し、入力される画像信号Ｓ１、Ｓ２、…、Ｓｎを画素部に印加して一定期間保持するようになっている。蓄積容量７０の一方の電極は、画素電極９ａと並列してＴＦＴ３０のドレインに接続され、他方の電極は、定電位となるように、電位固定の容量配線４００に接続されている。
【００５０】
この電気光学装置は、例えばＴＦＴアクティブマトリクス駆動方式を採り、走査線駆動回路１０４（図１参照）から各走査線３ａに走査信号Ｇ１、Ｇ２、…、Ｇ２ｍを後述する順序で印加すると共に、それによってＴＦＴ３０がオン状態となる水平方向の選択画素部列に対し、データ線駆動回路１０１（図１参照）からのデータ信号Ｓ１、Ｓ２、…、Ｓｎを、データ線６ａを通じて印加するようになっている。この際、データ信号Ｓ１、Ｓ２、…、Ｓｎを各データ線６ａに線順次に供給してゆくようにしてもよいし、複数のデータ線６ａ（例えばグループ毎）に同じタイミングで供給するものとしてもよい。これにより、画像信号が選択画素に対応する画素電極９ａに供給される。ＴＦＴアレイ基板１０は、液晶層５０を介して対向基板２０と対向配置されているので（図２参照）、以上のようにして区画配列された画素部毎に液晶層５０に電界を印加することにより、両基板間の透過光量が画素部毎に制御され、画像が階調表示される。このとき各画素部に保持された画像信号は、蓄積容量７０によりリークが防止される。
【００５１】
図４に示したように、本実施形態の電気光学装置においては、駆動部６０は、データ線駆動回路１０１及び走査線駆動回路１０４の他、コントローラ６１、フレームメモリ６２及び６３の２画面分のフレームメモリ、ＤＡコンバータ６４及び本発明の「補正手段」の一例たるオーバードライブ処理回路６５を含んで構成されている。
【００５２】
コントローラ６１は、垂直同期信号Ｖsync、水平同期信号Ｈsync、及び画像信号DATA1が入力されるように構成され、垂直同期信号Ｖsync、水平同期信号Ｈsyncに基づく各構成要素の動作タイミングを制御する機能を有している。即ち、コントローラ６１によって、フレームメモリ６２及び６３の書き込み／読み出し動作の制御や、オーバードライブ処理回路６５の動作タイミングの制御が行われる。フレームメモリ６２及び６３は、交互に、例えば１フレーム毎に、一方に外部入力された１フレーム分の画像信号DATA1を一時的に蓄えると共に、他方からは蓄積した画像信号DATA１を表示用に出力させるように利用される。尚、画像信号DATA1は、少なくともフレームメモリ６２及び６３に書き込まれる前には、例えばＲＧＢ信号のように、ＲＧＢの各色の輝度を表す電圧信号とされている。そのため、図示はしないが、コントローラ６１の前段或いは後段にＲＧＢマトリクス回路等の信号処理回路が、必要に応じて付加されていてもよい。
【００５３】
オーバードライブ処理回路６５は、液晶層５０における液晶配向を画像信号Ｓｘに良く応答させるために、その元信号である画像信号DATA1にオーバードライブ処理を施す機能を有している。具体的には、画像信号DATA1を加減して信号上の輝度を補正し、補正後の画像信号DATA2を出力するように構成されている。
【００５４】
ＤＡコンバータ６４は、フレームメモリ６２及び６３、又はオーバードライブ処理回路６５から読み出された画像信号をＤＡ変換し、データ線駆動回路１０１に出力する機能を有している。データ線駆動回路１０１は、コントローラ６１からのクロック信号ＣＬＸ、反転クロック信号ＣＬＸ’の入力によって、入力される画像信号Ｓｘを対応するデータ線６ａに印加するように機能する。
【００５５】
走査線駆動回路１０４は、具体的には後述するが、コントローラ６１からのクロック信号ＣＬＹ、反転クロック信号ＣＬＹ’の入力によって基本的な線順次の水平走査が可能となっている。更に、ここでは、一つの駆動回路でありながらスタートパルスを同時に２つ生成出力すると共に、それらの走査信号としての出力タイミングをずらすためのイネーブル信号ＥＮＢ１及びＥＮＢ２が入力される構成となっているために、以下に説明するような順序で走査信号Ｇｘを走査線３ａに印加する駆動方式をとることができる。
【００５６】
＜１−２：電気光学装置の駆動方法＞
次に、このような電気光学装置の駆動方法について説明する。この電気光学装置では、駆動部６０により、倍速で極性反転駆動されると共に駆動時にオーバードライブ処理が施される。そこで、以下では段階的に、先ず倍速で極性反転駆動する場合について図５から図１０を参照して説明したうえで、更にオーバードライブ処理を施す場合について図１１から図１３を参照して説明する。
【００５７】
＜１−２−１：倍速反転駆動による駆動＞
図５及び図６は、本実施形態の駆動方法を概念的に説明するための図であり、図７は、画面上の極性の変化を時系列で表したもの、図８は、任意の１水平期間の瞬間を見た画面のイメージを表したものである。
【００５８】
尚、この段階では、未だオーバードライブ処理を考慮しないことから、駆動部６０のうちオーバードライブ処理回路６５を無視し、ＤＡコンバータ６４にはフレームメモリ６２又は６３が出力した画像信号DATA1が入力されるものとみなす。また、画像信号DATA1は、ノン・インターレス方式の信号、ないし、フレームメモリ６２又は６３に送出される前に、通常知られた方法で２：１インターレス方式の信号にフィールド補間を施してノンインターレス化された信号とする。
【００５９】
図５に示したように、表示面が上下に分割されてなる部分面２０１及び２０２の各画素部を、本発明に係る「面反転駆動」の一例として、互いに相補な周期で反転駆動させる。ここでは、この極性反転周期を、通常のフレーム期間の２分の１とする。即ち、走査線駆動回路１０４及びデータ線駆動回路１０１は倍速駆動され、部分面２０１及び２０２に対する画像信号Ｓｘの書き込みは１フレーム期間に２画面分行われる。以下では、２分の１フレーム期間、つまり画面を一回書き込んで表示する期間を、適宜「単位期間」と呼ぶ。具体的には、１つのフレームデータを互いに逆極性のデータに２分割し、これらを１／２垂直期間だけシフトさせて重ね書きする。これは、フレームメモリ６２及び６３を用いることで行うことができる。このとき、データ線駆動回路１０１は、１／２フレーム周期で画像信号Ｓｘの極性を反転させると同時に、一画面においては部分面２０１と部分面２０２とで画像信号Ｓｘの極性を異ならせるように駆動する。
【００６０】
更に、図６のように、水平走査は、部分面２０１を構成する画素部と部分面２０２を構成する画素部とで交互に行う。即ち、画像信号Ｓｘの書き込みは、部分面２０１及び２０２に対し並行して行われる。この様子を、時系列的に表したのが図７である。
【００６１】
図７において、例えば第１水平期間では、第２ｍ番目の走査線３ａが走査信号Ｇ2mにより走査され、負電位の画像信号Ｓｘが書き込まれる。第２水平期間では第ｍ＋１番目の走査線３ａが走査信号Ｇm＋1により走査され、第１水平期間では負電位であった画素部に正電位の画像信号Ｓｘが書き込まれる。第３水平期間では第１番目の走査線３ａが走査信号Ｇ1により走査され、第１、第２水平期間では正電位であった画素部に負電位の画像信号Ｓｘが書き込まれる。以降は、このような選択書き込み動作が繰り返される。従って、画面の半分、つまり部分面２０１及び２０２を走査し終えたときに、正極性領域と負極性領域とが完全に反転し、１画面分の書き換えが行われたことになる。この方法によると、全画面を走査すれば、書き換えは２度行われることになり、結果的に入力画像信号に対して１垂直期間が１／２となる。
【００６２】
この結果、図８に示すように、ある１水平期間に着目すると、例えば走査信号Ｇ3〜Ｇｍ＋2に走査される画素部は正極性電位のデータが書き込まれた領域となり、走査信号Ｇ1〜Ｇ2及びＧm＋3〜Ｇ2mに走査される画素部は負極性電位のデータが書き込まれる領域（以下、単に負極性領域という）となるというように、画面内が正極性領域と負極性領域に分割されたような状態となる。また、各部分画２０１及び２０２の極性反転周期は、単位期間である。
【００６３】
図８中で、正極性の領域と負極性の領域との境界２０３ＢＲ１及び２０３ＢＲ２は、画面内における上から下への垂直走査に従って、上から下へと移動する。即ち、横電界が発生することで画質が悪化する境界２０３ＢＲ１及び２０３ＢＲ２は夫々、一所に止まることなく、垂直に面内走査されるので、係る横電界による画質劣化は、視覚上、殆ど目立たなくなる。
【００６４】
このように、本実施形態では、画面の半分の広さを持つ正極性領域と負極性領域とが１垂直期間で反転することになり、部分面２０１及び２０２の各々に対しては倍速で面反転駆動が行われる。１垂直期間において、任意の画素部と隣接する画素部との間は２／２ｍの時間だけは逆極性電位となるが、残りの大部分の時間（２ｍ−２）／２ｍは同極性電位となるので、横電界による液晶層５０における配向不良は殆ど発生しない。
【００６５】
一方、データ線６ａ側は、信号極性については部分面２０１と部分面２０２とで反転させているので、従来の面反転方式で駆動したときのように、画面の上側と下側とでＴＦＴ３０からの電荷リーク量に大きな差が生じることがなく、画面の場所による表示の不均一を回避することができる。
【００６６】
また本実施形態では、倍速駆動により、走査周波数は入力画像信号周波数の倍の１００Ｈｚ以上となるので、人間の視覚上で認識可能なフリッカを確実に抑制することができる。
【００６７】
次に、この駆動方法を実現することができる駆動回路の一例を、図９及び図１０を参照して説明する。図９は、走査線数を４本とした場合の走査線駆動回路１０４の構成例であり、図１０は、図９に示した走査線駆動回路１０４におけるタイミングチャートである。
【００６８】
図９に示したように、走査線駆動回路１０４は、例えば図４に示したコントローラ６１からクロック信号ＣＬＹ、反転クロック信号ＣＬＹ’が入力されるシフトレジスタ６６と、シフトレジスタ６６からの出力が入力される、２ｍ本の走査線３ａに対応した２ｍ個の論理回路からなる出力制御部６９とを有している。論理回路は、例えばＮＡＮＤ回路６７及びＮＯＴ回路６８から構成され、各ＮＡＮＤ回路６７には、シフトレジスタ６６からの出力とイネーブル信号ＥＮＢ１又はＥＮＢ２が入力される。
【００６９】
イネーブル信号ＥＮＢ１の配線は、部分面２０１では第１番目のＮＡＮＤ回路６７に接続されるが、部分面２０２では、第２番目（即ち全体では第４番目）のＮＡＮＤ回路６７に接続される。イネーブル信号ＥＮＢ２の配線は、その逆に第２番目、第１番目（即ち全体では第３番目）のＮＡＮＤ回路６７に接続され、イネーブル信号ＥＮＢ１及びＥＮＢ２は、ＮＡＮＤ回路６７との接続の順番が相互に入れ違うようになっている。
【００７０】
図１０に示したように、シフトレジスタ６６からのスタートパルスＳＲ１〜ＳＲ４は、部分面２０１及び２０２をあたかも同時に水平走査するように、夫々の走査線３ａに対して同じタイミングで出力される。即ち、部分面２０１及び２０２各々の一本目の走査線３ａに対応するスタートパルスＳＲ１、ＳＲ３と、二本目の走査線３ａに対応するスタートパルスＳＲ２、ＳＲ４とは、２水平期間毎に交番的に出力される。一方、イネーブル信号ＥＮＢ１，ＥＮＢ２は、水平期間毎に交番的に立ち上がる。よって、その立ち上がりタイミング時に出力されたスタートパルスが論理回路において選択され、走査信号として走査線３ａに出力される。その結果、走査信号Ｇ１〜Ｇ４は図示のように走査信号Ｇ１、Ｇ３、Ｇ２、Ｇ４の順に出力され、前述のような水平走査が実現される（図６又は図７参照）。
【００７１】
＜１−２−２：オーバードライブ処理を伴う駆動＞
以上の倍速反転駆動に対し、オーバードライブ処理を付加した駆動方法について図１１から図１３を参照して説明する。
【００７２】
先ず、オーバードライブ処理のための回路構成について、図１１を参照して説明する。図１１は、駆動部６０のうちオーバードライブ処理に係る回路系の構成を表している。
【００７３】
図１１において、オーバードライブ処理回路６５は、減算器６５ａ、補正量設定手段６５ｂ、フレームメモリ６５ｃ及び６５ｄ、及び加減算器６５ｅを含んで構成される。減算器６５ａは、コントローラ６１からフレームメモリ６２又は６３に書き込まれる前の画像信号DATA1と、フレームメモリ６２又は６３から読み出された画像信号DATA1’とが入力されるように構成され、入力信号双方の差分ΔDATAを算出するように機能する。差分ΔDATAは、例えば画像信号のライン単位で演算され、減算器６５ａには、画像信号DATA1及びDATA1’、ないし減算結果等を格納するラインメモリが含まれている。尚、このような差分ΔDATAは、輝度信号について演算され、また、ライン単位に代えて画素単位や画素ブロック単位で演算してもよい。
【００７４】
補正量設定手段６５ｂは、本発明の「補正手段」の一例として、入力される差分ΔDATAに基づいて補正量Ｏｄを設定し、出力する機能を有している。補正量Ｏｄとは、画面の輝度変化に液晶の応答速度を追従させるために画像信号DATA1に施される補正量であり、差分ΔDATA及び液晶層５０における液晶の印加電圧に対する応答性能、極性反転周期等に応じて設定される。補正量Ｏｄは、例えば、テーブル等の形式で予め設定しておいても、変換式から算出するようにしてもよい。
【００７５】
フレームメモリ６５ｃ及び６５ｄは、補正量設定手段６５ｂから出力される補正量Ｏｄを格納するためのメモリであり、夫々における書き込み／読み出しの動作タイミングは、フレームメモリ６２又は６３の動作タイミングと同期するように構成されている。
【００７６】
加減算器６５ｅは、画像信号DATA1’に輝度補正を施した画像信号DATA2を生成し、出力するように機能する。具体的には、加減算器６５ｅは、画像信号DATA1’に対して補正量Ｏｄを加減算するように構成されている。即ち、補正量Ｏｄは、時系列的な画面間の輝度変化が液晶駆動電圧を増大させる方向にある場合には画像信号DATA1’に加算され、減少させる方向にある場合には画像信号DATA1’から減算される。これは、補正対象の画像信号DATA1’と、一つ前のフレームとの大小関係に依り、例えば差分ΔDATAの符号によって加算と減算とが識別されるようになっている。
【００７７】
このような回路系によるオーバードライブ処理について、図１２及び図１３を更に参照して説明する。ここに、図１２は、図１１に示した回路系における各種データの流れを表している。図１３は、一画素部に供給される画像信号DATA1と、液晶の応答特性及び補正量Ｏｄとの関係を表している。尚、図１３では、便宜的に画像信号の極性を無視している。
【００７８】
コントローラ６１から出力された画像信号DATA1は、１フレーム毎にフレームメモリ６２又は６３に入力される。ここでは、フレームメモリ６２及び６３に対する書き込み／読み出し動作は、ライン単位に、同期して行われ、この回路系全体の動作は一画面相当の画像信号DATA1（即ち１フレーム）を単位として実行される。一ライン分の信号処理期間内では、フレームメモリ６２に書き込まれた画像信号DATA1は、フレームメモリ６３への書き込みに同期した読み出し動作によって画像信号DATA1’として読み出され、オーバードライブ処理回路６５の減算器６５ａ及び加減算器６５ｅに入力される。
【００７９】
図１２に示したように、このとき、減算器６５ａには、フレームメモリ６３に書き込まれる前の画像信号DATA1も入力される。画像信号DATA1は、減算器６５ａにおける画像信号DATA1’が表す画面の次の画面を表す。ここでは、上述した２倍速駆動をしているために、画像信号DATA1は、フレーム毎に同一信号となっており、フレームメモリ６２及び６３には互いに同一の画像信号DATA1が書き込まれる。減算器６５ａにおいては、画像信号DATA1と画像信号DATA1’との差分ΔDATAがライン毎に算出される。この差分ΔDATAは、フレーム間の輝度変化量に対応し、補正量設定手段６５ｂに逐次入力される。
【００８０】
補正量設定手段６５ｂは、差分ΔDATAをパラメータとして、一画面分の画像信号DATA1に対応する補正量Ｏｄを設定する。一般に、差分ΔDATAが大きければ補正量Ｏｄも大きく、差分ΔDATAが小さければ補正量Ｏｄも小さい。また、本実施形態においては、極性反転の周期も考慮される。極性反転時には、反転しない場合に比べ、画像信号DATA1’の変動は格段に大きくなる。その影響を加味すると、補正量Ｏｄは一層大きな値に設定される必要がある。具体的には、予め設定された補正量Ｏｄのテーブルを用いたり、所定の変換式に差分ΔDATAをパラメータとして導入したりすれば、補正量ΔDATAが求められる。画像信号DATA1と画像信号DATA1’とが同一フレームの信号である場合には、輝度変化がゼロであることから、ここでは補正量Ｏｄもゼロに設定される。また、ここで補正量Ｏｄは、差分ΔDATAがラインデータであることから、ライン単位に設定及び出力される。
【００８１】
補正量設定手段６５ｂにて設定された補正量Ｏｄは、先程、フレームメモリ６３に書き込まれた画像信号DATA1に対する補正量である。そのため、このようにして得られた補正量Ｏｄは、一旦フレームメモリ６５ｄに格納される（図１１及び図１２中の(i)）。一方、フレームメモリ６５ｃには、今フレームメモリ６２から読み出された画像信号DATA1’に対する補正量Ｏｄが、同様にして格納されている。こちらの補正量は、ライン毎に読み出されて（図１１及び図１２中の(ii)）、加減算器６５ｅに逐次入力される。このように、フレームメモリ６５ｃ及び６５ｄは、フレームメモリ６２及び６３と連動する。
【００８２】
そして、加減算器６５ｅに入力された補正量Ｏｄは、同じく加減算器６５ｅに逐次入力される画像信号DATA1’に対し、加算もしくは減算される。このようにして、本実施形態に係る輝度補正、つまりオーバードライブ処理を施した画像信号DATA2が得られ、これを基にして表示がなされる。
【００８３】
このようにして、フレームメモリ６２から読み出された画像信号DATA1’に輝度補正した画像信号DATA2が出力されると共に、次の単位期間に相当する画像信号DATA1に対する補正量Ｏｄの設定、及びフレームメモリ６３への書き込みがなされる。以上の処理は、フレームメモリ６２とフレームメモリ６３とが交互に出力する画像信号DATA1’に対して一単位期間毎に実行される。
【００８４】
図１３に示したように、ある画素部においてフレーム１とフレーム２との間で画像信号DATA1の値が変動すると、当該画素部の液晶層５０では印加電圧が急激に変化する。ところが、液晶自体の印加電圧に対する応答速度が遅い場合には、液晶により輝度変調する電気光学装置においては、輝度Ｂ０に過渡期間が生じる。このように、画像信号DATA1の変化に追従できず、輝度Ｂ０がゆっくり変化すると、変化後のフレーム２では、輝度が不十分となる。その場合、この現象は表示ぼけなどとして視認される。例えば、黒い背景中に白い画像が動くと、白い画像の軌跡が白い尾を引くように見え、残像感を与える場合などがこれに該当する。
【００８５】
これに対し、上述したように補正量Ｏｄを付加して画像信号DATA1の値を引き上げれば、信号値に応じて液晶の見かけ上の応答速度を速めることができる。その結果、フレーム２を輝度Ｂ１で表示することができる。こうした“オーバードライブ処理”により、輝度変化における過渡期間の短縮ないし実効輝度値の補正がなされ、表示品位を維持することができる。
【００８６】
また、液晶を画像信号の変動に即応させ、輝度変動の立ち上がり又は立下りをできるだけ急峻化させるには、画像信号DATA1の変動の初期に積極的に補正を施すことが望ましい。更に、本実施形態においては、画像信号DATA1はフレーム単位で変動する。即ち、隣接フレーム間では輝度変動が起きることがあるが、倍速駆動における同一フレーム内の単位期間（例えば、フレーム２の単位期間ｔ１及びｔ２）同士では同一画面を表示することから、輝度変動は殆ど問題とならない。そのような理由から、本実施形態における輝度補正は、１単位期間のうち、先行するフレーム期間の直後の単位期間（即ち、最初の単位期間）に行われる。例えばフレーム２については、単位期間ｔ１に書き込む場合だけにフレーム１の値に応じた補正量Ｏｄを付加する。即ち、１フレーム期間が本発明の「画面表示期間」の一具体例に、また２分の１フレーム期間が本発明の「単位期間」の一具体例に夫々対応している。
【００８７】
この結果、液晶の応答遅れに起因する表示上の残像感を、効率よく軽減又は解消することが可能となる。また、このように１フレーム期間内において単位期間ｔ１では補正するが、単位期間ｔ２では補正しない駆動方法を採ることにより、駆動期間全体に対し、補正量としての余分な電圧が印加される期間が最小限に止められるので、液晶の劣化を抑えることも可能となる。
【００８８】
このように特定期間だけに補正を施すために、スイッチ等により画像信号DATA1’の経路を分岐させ、オーバードライブ処理回路６５に対する出力タイミングを制御するようにしてもよい。その場合、補正されない画像信号DATA1’は、オーバードライブ処理回路６５を迂回し、そのままコントローラ６１に出力される。しかしながら、単位期間ｔ２等の補正対象とならない期間に供給される画像信号DATA1’は、単位期間ｔ１に供給される画像信号DATA1’と同一の信号であるから、前者をオーバードライブ処理回路６５に入力したとしても実質的に補正はなされない。よって、上記の回路構成（図１１参照）のままであっても、こうした補正は可能である。但し、他の処理とメモリを共有化する場合や無駄な処理を除く場合には、補正処理を行う期間を限定する方が好ましい。
【００８９】
尚、以上の説明では、補正量Ｏｄの格納にフレームメモリ６５ｃ及び６５ｄを用いるようにしたが、一つの単位期間内で、既に書き込まれている補正量Ｏｄを読み出し（図１１中の(ii)）、直後に補正量設定手段６５ｂが出力する補正量Ｏｄを書き込む（図１１中の(i)）ように構成すれば、フレームメモリは１つで済み、回路構成を簡略化することができる。
【００９０】
以上説明したように本実施形態によれば、倍速反転駆動方式における各フレームの最初の単位期間に供給される画像信号にオーバードライブ処理を施すようにしたので、横電界やフリッカを解消しつつ液晶の応答速度を見かけ上改善することができ、高品位な表示が可能となる。
【００９１】
＜２：第２実施形態＞
以下、本発明の電気光学装置に係る第２実施形態について図１４及び図１５を参照して説明する。
【００９２】
図１４は、第２実施形態に係る電気光学装置のうち、主要部分の構成を表し、図１５は、第２実施形態に係る電気光学装置の駆動方法を表している。各図は、第１実施形態の図１１及び図１３に夫々対応している。本実施形態における電気光学装置の構成及び基本的な駆動方法は、第１実施形態と殆ど同様なため、第１実施形態と同様の構成要素については同様の符号を付し、その説明を適宜省略する。
【００９３】
図１４において、オーバードライブ処理回路１６５は、各フレーム期間内の単位期間ｔ１及びｔ２に供給される画像信号DATA1を、重み付けされた補正量Ｏｄ１及びＯｄ２で夫々補正して、画像信号DATA2’として出力する。即ち、最も輝度補正効果が期待される最初の単位期間ｔ１から、後続の単位期間ｔ２に補正量が配分される。
【００９４】
補正量設定手段１６５ｂは、入力される差分ΔDATAに応じ、例えば図１５のように単位期間ｔ１における補正量Ｏｄ１と、単位期間ｔ２における補正量Ｏｄ２とを設定する。その際、補正量Ｏｄ１が補正量Ｏｄ２よりも大きな値となるように重み付けされる。
【００９５】
尚、本実施形態においても、補正量設定に際して、極性反転の影響が考慮される。但し、補正量Ｏｄ１及びＯｄ２が、反転しない場合よりも大きな値に設定されることで、ここでは、動画像の変化に伴う輝度変動だけでなく、極性反転に起因する周期的な輝度変動に対しても補正を施すことができる。
【００９６】
設定された補正量Ｏｄ１及び補正量Ｏｄ２は、フレームメモリ１６５ｃ及び２６５ｃ、又はフレームメモリ１６５ｄ及び２６５ｄのいずれか一方に格納され、補正対象とする画像信号DATA1’がフレームメモリ６２または６３から読み出され、加減算器１６５ｅに出力されるときに、加減算器１６５ｅに出力される。即ち、補正量Ｏｄ１及びＯｄ２は、フレーム期間毎にまとめて設定されるため、ここでは、読み出し用と書き込み用とで２組合計４つのフレームメモリが設けられている。
【００９７】
よって、加減算器１６５ｅでは、画像信号DATA1’に対する補正量の加算又は減算が単位期間の度毎に行われ、重み付けされた補正が施された画像信号DATA2’が出力される。
【００９８】
このような補正は、特に最初の単位期間ｔ１に施した補正だけでは十分に液晶が応答しない場合、例えば輝度変化量が大きい場合や液晶の応答速度が遅い場合に有効である。単位期間ｔ１に引き続いて、単位期間ｔ２の書き込み時においても液晶に対する印加電圧を引き上げることで、このフレーム期間内における液晶の配向状態の変化が加速され、液晶の見かけ上の応答速度を効果的に上昇させることができる。
【００９９】
従って、本実施形態によれば、第１実施形態と同様の効果を得ることができる。加えて、単位期間の度毎に補正を施すことで、動画像の変化に伴う輝度変動だけでなく、極性反転に起因する周期的な輝度変動に対しても補正を施すことが可能である。また、単位期間ｔ１及びｔ２において段階的に補正することができるので、単位期間ｔ１でのみ補正する場合と比較して、単位期間ｔ１における補正量を多少抑えることができる。その場合には、画像信号DATA1’の補正によって更に拡大された電圧変動に起因する液晶の劣化が抑制される。
【０１００】
尚、図１３及び図１５では、便宜的に画像信号の極性を無視しているが、極性反転の有無や極性反転の周期によらずに、液晶が輝度変化に追従し難くなるのは、動画において輝度変化が大きく変化する前後に他ならない。例えば、図１３又は図１５に示した如き、時間軸に対して輝度変化が大きいフレーム間に他ならない。言い換えれば、特に輝度変化がなければ、極性反転や極性反転の周期によらずに、液晶は、その応答速度が相対的に遅くても、輝度変化に追従していると言える。即ち、輝度変化が無ければ、液晶の応答速度によらずに一定の輝度の画像表示が本来可能である。このため、上述の如く輝度が大きく変化した後のフレームの前半部たる単位期間ｔ１でオーバードライブ処理を行う本実施形態は、様々な極性反転の周期や方式に対して、液晶を輝度変化に追従させるために非常に有効である。
【０１０１】
以上説明した第１及び第２の実施形態においては、極性反転を単位期間周期で行うようにしたが、フレーム期間周期で行うようにしてもよい。その場合、特に第１実施形態の態様では、単位期間ｔ１と単位期間ｔ２とに連続して同極性の信号が印加されることになり、単位期間ｔ１における補正の効果が、単位期間ｔ２に引き継がれる。そのため、単位期間ｔ１のみに補正を施すことの意義が、より強調される。
【０１０２】
また、１フレーム期間を単位期間ｔ１及びｔ２に分割するようにしたが、更に多くの単位期間（ｔ１、ｔ２、…、ｔｎ：ｎは任意の自然数）に分割して、ｎ倍速駆動するようにしてもよい。その際、重み付けした補正量で画像信号を補正する場合は、全単位期間を補正対象としてもよいし、例えば単位期間ｔ１、ｔ２のみなど、特定の単位期間を補正対象としてもよい。
【０１０３】
また、上記実施形態では、相補の周期で極性反転させる部分面として、画面上を２つの部分面に分割して駆動する例を示したが、分割数はこれに限るものではなく、更に分割数を多くしても良い。但し、分割数を多くすればする程、横電界が発生する部分面同士の境界が増えることになるし、現実の高周波化には回路素子の性能上の限界があるので、２分割駆動が好ましい。
【０１０４】
＜３：電子機器＞
次に、以上詳細に説明した電気光学装置をライトバルブとして用いた電子機器として、投射型カラー表示装置の一具体例について図１６を参照して説明する。図１６は、投射型カラー表示装置の図式的断面図である。
【０１０５】
図１６において、第１又は第２実施形態における投射型カラー表示装置の一例たる液晶プロジェクタ１１００は、駆動回路がＴＦＴアレイ基板上に搭載された液晶装置を含む液晶モジュールを３個用意し、それぞれＲＧＢ用のライトバルブ１００Ｒ、１００Ｇ及び１００Ｂとして用いたプロジェクタとして構成されている。液晶プロジェクタ１１００では、メタルハライドランプ等の白色光源のランプユニット１１０２から投射光が発せられると、３枚のミラー１１０６及び２枚のダイクロックミラー１１０８によって、ＲＧＢの三原色に対応する光成分Ｒ、Ｇ及びＢに分けられ、各色に対応するライトバルブ１００Ｒ、１００Ｇ及び１００Ｂにそれぞれ導かれる。この際特に、Ｂ光は、長い光路による光損失を防ぐために、入射レンズ１１２２、リレーレンズ１１２３及び出射レンズ１１２４からなるリレーレンズ系１１２１を介して導かれる。そして、ライトバルブ１００Ｒ、１００Ｇ及び１００Ｂによりそれぞれ変調された三原色に対応する光成分は、ダイクロックプリズム１１１２により再度合成された後、投射レンズ１１１４を介してスクリーン１１２０にカラー画像として拡大投射される。
【０１０６】
この投射型カラー表示装置では、上記実施の形態の電気光学装置を用いたことにより、高精細で、フリッカ等のノイズが極めて少ない、均一性に優れた表示が可能である。特に動画については、表示ぼけが殆ど見られない、高品位な表示が可能である。
【０１０７】
本発明は、上述した実施形態に限られるものではなく、請求の範囲及び明細書全体から読み取れる発明の要旨、あるいは思想に反しない範囲で適宜変更可能であり、そのような変更を伴う電気光学装置用駆動回路及び電気光学装置用駆動回路、並びに、電気光学装置及び電子機器もまた、本発明の技術的範囲に含まれるものである。
【０１０８】
例えば、上記実施形態ではＴＦＴを用いたアクティブマトリクス型の液晶装置を例に挙げて説明したが、本発明はこれに限定されず、例えば画素スイッチング素子にＴＦＤ（Thin Film Diode）を用いたものや、パッシブマトリクス型のものなどに対しても適用可能である。また、液晶装置以外の、時間的又は空間的な極性反転を伴ってマトリクス駆動を行うことが可能であって、画像信号に対して応答する電気光学物質を利用して輝度変調を行う構成の電気光学装置も本発明の適用範囲である。そのような電気光学装置としては、例えば、電気泳動装置等が挙げられる。
【図面の簡単な説明】
【０１０９】
【図１】電気光学装置の全体構成を示す平面図である。
【図２】図１のＨ−Ｈ’断面図である。
【図３】電気光学装置の画像表示領域を構成するマトリクス状に形成された複数の画素部における各種素子、配線等の等価回路である。
【図４】第１実施形態に係る電気光学装置の駆動系の構成を示すブロック図である。
【図５】第１実施形態に係る電気光学装置の駆動方法を説明するための図である。
【図６】第１実施形態に係る電気光学装置の駆動方法を説明するための図である。
【図７】第１実施形態に係る電気光学装置の駆動方法を説明するための図である。
【図８】第１実施形態に係る電気光学装置の駆動方法を説明するための図である。
【図９】第１実施形態に係る電気光学装置の駆動回路の具体的構成を示す回路図である。
【図１０】第１実施形態に係る電気光学装置の駆動方法を説明するためのタイミングチャートである。
【０１１０】
【図１１】図４に示した駆動系のうち、輝度補正に係る回路系の構成を示すブロック図である。
【図１２】図１１に示した回路系の動作時における信号経路を例示する図である。
【図１３】図１１に示した回路系による画像信号処理と液晶の応答特性とを表す図である。
【図１４】第２実施形態に係る電気光学装置のうち、主要な回路系の構成を示すブロック図である。
【図１５】図１４に示した回路系による画像信号処理と液晶の応答特性とを表す図である。
【図１６】本発明の電気光学装置を適用した電子機器の一実施形態を示す図式的断面図である。
【符号の説明】
【０１１１】
３ａ…走査線、６ａ…データ線、９ａ…画素電極、１０ａ…画像表示領域、３０…ＴＦＴ、４００…容量配線、５０…液晶層、６０…駆動部、６１…コントローラ、６２、６３…フレームメモリ、６５…オーバードライブ処理回路、６５ａ…減算器、６５ｂ…補正量設定手段、６５ｃ、６５ｄ…フレームメモリ、６５ｅ…加減算器、６６…シフトレジスタ、７０…蓄積容量、１０１…データ線駆動回路、１０４…走査線駆動回路、２０１、２０２…部分面、Ｇ1〜Ｇ2m…走査信号、ＳＲ…スタートパルス、ＥＮＢ…イネーブル信号、DATA1、DATA1’、DATA2…画像信号（ディジタルデータ）、Ｓｘ…画像信号（アナログデータ）、ΔDATA…（画面間における画像信号の）差分、Ｏｄ…補正データ。
【図１】
2005352315.tif 000003
【図２】
2005352315.tif 000004
【図３】
2005352315.tif 000005
【図４】
2005352315.tif 000006
【図５】
2005352315.tif 000007
【図６】
2005352315.tif 000008
【図７】
2005352315.tif 000009
【図８】
2005352315.tif 000010
【図９】
2005352315.tif 000011
【図１０】
2005352315.tif 000012
【図１１】
2005352315.tif 000013
【図１２】
2005352315.tif 000014
【図１３】
2005352315.tif 000015
【図１４】
2005352315.tif 000016
【図１５】
2005352315.tif 000017
【図１６】
2005352315.tif 000018